(57)【要約】【課題】  低電圧入力のスキャンドライバ、走査駆動システム及びその電圧レベルシフト回路の提供。【解決手段】  ラッチユニット、電圧レベルシフト回路、及びバッファを具え、ラッチユニットが第１制御信号と第２制御信号を発生し、電圧レベルシフト回路がラッチユニットと接続され、第１制御信号、第２制御信号、第１クロック信号、及び第２クロック信号を受け取り、これに基づき高電圧レベルの走査出力信号を出力し、続いてバッファにより走査信号の液晶ディスプレイのＴＦＴに対する駆動能力を増す。【選択図】        図１
2005070732.tif 000002
【特許請求の範囲】
【請求項１】
低電圧入力のスキャンドライバにおいて、該スキャンドライバは複数の薄膜トランジスタを具えたフラットディスプレイ装置中に設置され、該スキャンドライバは、ラッチユニット、電圧レベルシフト回路を具え、該ラッチユニットは相互に逆相である第１制御信号と第２制御信号を発生し、該電圧レベルシフト回路は第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第５スイッチユニットは第４スイッチユニットに接続され、第４スイッチユニットのスイッチ切り換えにより走査信号を発生してそれを出力することを特徴とする、低電圧入力のスキャンドライバ。
【請求項２】
請求項１記載の低電圧入力のスキャンドライバにおいて、電圧レベルシフト回路に接続されたバッファを具え、これにより走査信号を受け取り該走査信号の駆動能力を増強することを特徴とする、低電圧入力のスキャンドライバ。
【請求項３】
請求項１記載の低電圧入力のスキャンドライバにおいて、ラッチユニットがＳＲラッチとされたことを特徴とする、低電圧入力のスキャンドライバ。
【請求項４】
低電圧入力の走査駆動システムにおいて、該走査駆動システムは複数のスキャンドライバが直列に接続されてなり、各スキャンドライバが、ラッチユニット、電圧レベルシフト回路を具え、該ラッチユニットは設定ピンとリセットピンで相互に逆相の第１制御信号と第２制御信号を発生し、該電圧レベルシフト回路は第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第５スイッチユニットは第４スイッチユニットに接続され、第４スイッチユニットのスイッチ切り換えにより走査信号を出力端に発生し、各スキャンドライバの出力端が次のスキャンドライバの設定ピンに接続され、各スキャンドライバのリセットピンが次のスキャンドライバの出力端に接続されたことを特徴とする、低電圧入力の走査駆動システム。
【請求項５】
請求項４記載の低電圧入力の走査駆動システムにおいて、第１のスキャンドライバの設定ピンと最後のスキャンドライバのリセットピンがトリガ回路に接続されたことを特徴とする、低電圧入力の走査駆動システム。
【請求項６】
電圧レベルシフト回路において、該電圧レベルシフト回路は、第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第４スイッチユニットは第１接続点と第２接続点及び該作業電圧に接続され、第１接続点と第２接続点の電圧レベルに基づきスイッチ切り換えを行ない、第５スイッチユニットは、第４スイッチユニットに接続され、第４スイッチユニットのスイッチ切り換えにより走査信号を発生して出力することを特徴とする、電圧レベルシフト回路。
【請求項７】
請求項６記載の電圧レベルシフト回路において、第１スイッチユニット、第２スイッチユニット、第３スイッチユニット、第４スイッチユニット及び第５スイッチユニットがいずれも複数のスイッチ素子を具えたことを特徴とする、電圧レベルシフト回路。
【請求項８】
請求項７記載の電圧レベルシフト回路において、スイッチ素子が薄膜トランジスタとされたことを特徴とする、電圧レベルシフト回路。
【発明の詳細な説明】
【技術分野】
【０００１】
本発明は一種のスキャンドライバに係り、特に、低電圧入力のスキャンドライバ、走査駆動システム（ｓｃａｎ  ｄｒｉｖｉｎｇ  ｓｙｓｔｅｍ）及びその電圧レベルシフト回路（ｌｅｖｅｌ  ｓｈｉｆｔ  ｖｏｌｔａｇｅ  ｃｉｒｃｕｉｔ）に関する。
【背景技術】
【０００２】
フラットパネルディスプレイ装置にあって、ディスプレイパネル上の薄膜トランジスタ（ＴＦＴ）はデータドライバ（又はソースドライバと称される）とスキャンドライバ（又はゲートドライバと称される）で組成された駆動回路により制御される。そのうち、スキャンドライバはその出力する波形により、順にディスプレイパネル中の各１行のＴＦＴをオンし、これによりデータドライバに行の表示点を充電させそれぞれが必要な電圧となして、異なるグレースケールを表示させる。
【０００３】
しかし、一般のシリコン工程中のトランジスタスレショルド電圧（ＶT ）は約１ボルト以下であり、低温ポリシリコン（ＬＴＰＳ）ＴＦＴ工程に応用すると、そのＴＦＴのスレショルド電圧は２．５Ｖ〜５Ｖとなる。このように高いスレショルド電圧下で、仮に２Ｖのノイズ範囲とするなら、その入力信号は２．５Ｖ＋２Ｖ＝４．５Ｖより大きくなければならず、これによりＴＦＴをオンとすることができる。このためこのような応用では、高い入力電圧を有しなければＴＦＴを駆動できず、ゆえに電源を消耗する。
【０００４】
関係する文献として特許文献１があり、それには電圧シフト回路が記載されている。それは低い電圧を入力して高い電圧を出力することができる。しかしその設計は二つの電流源を採用し、ゆえに電力を消耗し電力消耗要求の厳格な応用には適用不能である。このため、低い入力電圧（例えば３．３Ｖ）のスキャンドライバによりディスプレイパネル上のＴＦＴを駆動できるようにする技術が望まれている。
【０００５】
【特許文献１】米国特許第５，６４６，６４２号明細書
【発明の開示】
【発明が解決しようとする課題】
【０００６】
本発明の主要な目的は、低電圧入力のスキャンドライバ、走査駆動システム及びその電圧レベルシフト回路を提供し、低電圧によりスキャンドライバを駆動できるようにすることにある。
【課題を解決するための手段】
【０００７】
請求項１の発明は、低電圧入力のスキャンドライバにおいて、該スキャンドライバは複数の薄膜トランジスタを具えたフラットディスプレイ装置中に設置され、該スキャンドライバは、ラッチユニット、電圧レベルシフト回路を具え、該ラッチユニットは相互に逆相である第１制御信号と第２制御信号を発生し、該電圧レベルシフト回路は第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第５スイッチユニットは第４スイッチユニットに接続され、第４スイッチユニットのスイッチ切り換えにより走査信号を発生してそれを出力することを特徴とする、低電圧入力のスキャンドライバとしている。
請求項２の発明は、請求項１記載の低電圧入力のスキャンドライバにおいて、電圧レベルシフト回路に接続されたバッファを具え、これにより走査信号を受け取り該走査信号の駆動能力を増強することを特徴とする、低電圧入力のスキャンドライバとしている。
請求項３の発明は、請求項１記載の低電圧入力のスキャンドライバにおいて、ラッチユニットがＳＲラッチとされたことを特徴とする、低電圧入力のスキャンドライバとしている。
請求項４の発明は、低電圧入力の走査駆動システムにおいて、該走査駆動システムは複数のスキャンドライバが直列に接続されてなり、各スキャンドライバが、ラッチユニット、電圧レベルシフト回路を具え、該ラッチユニットは設定ピンとリセットピンで相互に逆相の第１制御信号と第２制御信号を発生し、該電圧レベルシフト回路は第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第５スイッチユニットは第４スイッチユニットに接続され、第４スイッチユニットのスイッチ切り換えにより走査信号を出力端に発生し、各スキャンドライバの出力端が次のスキャンドライバの設定ピンに接続され、各スキャンドライバのリセットピンが次のスキャンドライバの出力端に接続されたことを特徴とする、低電圧入力の走査駆動システムとしている。
請求項５の発明は、請求項４記載の低電圧入力の走査駆動システムにおいて、第１のスキャンドライバの設定ピンと最後のスキャンドライバのリセットピンがトリガ回路に接続されたことを特徴とする、低電圧入力の走査駆動システムとしている。
請求項６の発明は、電圧レベルシフト回路において、該電圧レベルシフト回路は、第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第４スイッチユニットは第１接続点と第２接続点及び該作業電圧に接続され、第１接続点と第２接続点の電圧レベルに基づきスイッチ切り換えを行ない、第５スイッチユニットは、第４スイッチユニットに接続され、第４スイッチユニットのスイッチ切り換えにより走査信号を発生して出力することを特徴とする、電圧レベルシフト回路としている。
請求項７の発明は、請求項６記載の電圧レベルシフト回路において、第１スイッチユニット、第２スイッチユニット、第３スイッチユニット、第４スイッチユニット及び第５スイッチユニットがいずれも複数のスイッチ素子を具えたことを特徴とする、電圧レベルシフト回路としている。
請求項８の発明は、請求項７記載の電圧レベルシフト回路において、スイッチ素子が薄膜トランジスタとされたことを特徴とする、電圧レベルシフト回路としている。
【発明の効果】
【０００８】
以上の説明から分かるように、本発明はラッチユニットを利用し相互に逆相の第１制御信号と第２制御信号を発生して電圧レベルシフト回路に送り、且つ該電圧レベルシフト回路が並びに第１クロック信号と第２クロック信号を受け取り、電圧レベルシフト回路が第１制御信号、第２制御信号、第１クロック信号及び第２クロック信号により走査信号を発生し、低電圧レベルの第１クロック信号と第２クロック信号を入力するだけで、高電圧レベルの走査信号の出力を達成し、ディスプレイパネル中のＴＦＴを駆動する。
【発明を実施するための最良の形態】
【０００９】
本発明は低電圧入力のスキャンドライバを提供し、それは複数のＴＦＴを具えたフラットディスプレイ装置中に設置され、該スキャンドライバは、ラッチユニット、電圧レベルシフト回路を具え、該ラッチユニットは逆相の第１制御信号と第２制御信号を発生し、該電圧レベルシフト回路は第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第５スイッチユニットは第４スイッチユニットに接続され、第４スイッチユニットのスイッチ切り換えにより走査信号を発生してそれを出力する。
【００１０】
本発明はまた低電圧入力の走査駆動システムを提供し、それは複数のスキャンドライバが直列に接続されてなり、各スキャンドライバが、ラッチユニット、電圧レベルシフト回路を具え、該ラッチユニットは設定ピンとリセットピンで相互に逆相の第１制御信号と第２制御信号を発生し、該電圧レベルシフト回路は第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは、第１接続点、第２接続点及び該作業電圧に接続され、第１接続点と第２接続点の電圧レベルによりスイッチ切り換えを行ない、第５スイッチユニットは第４スイッチユニットに接続され、第４スイッチユニットのスイッチ切り換えにより走査信号を出力端に発生し、各スキャンドライバの出力端が次のスキャンドライバの設定ピンに接続され、各スキャンドライバのリセットピンが次のスキャンドライバの出力端に接続されている。
【００１１】
本発明はさらに、電圧レベルシフト回路を提供し、それは、第１スイッチユニット、第２スイッチユニット、及び第３スイッチユニット、第４スイッチユニット、第５スイッチユニットを具え、該第１スイッチユニットは第１クロック信号と第２クロック信号を受け取り、並びに第１制御信号によりスイッチ切り換えを実行し、第２スイッチユニットは作業電圧に接続され、且つ第１接続点と第２接続点で第１スイッチユニットに接続され、該第１スイッチユニットのスイッチ切り換えにより第１クロック信号と第２クロック信号を受け取り、第１接続点或いは第２接続点の電圧レベルを該作業電圧まで引き上げ、第３スイッチユニットは、第１接続点、第２接続点及び該作業電圧に接続され、並びに第１制御信号及び第２制御信号を受け取り、且つ該第１スイッチユニットのスイッチ切り換えにより第１クロック信号或いは第２クロック信号を受け取り、安定状態処理を提供し、第４スイッチユニットは第１接続点と第２接続点及び該作業電圧に接続され、第１接続点と第２接続点の電圧レベルに基づきスイッチ切り換えを行ない、第４スイッチユニットは、第１接続点、第２接続点及び該作業電圧に接続され、第１接続点と第２接続点の電圧レベルによりスイッチ切り換えを行ない、第５スイッチユニットは、第４スイッチユニットに接続され、第４スイッチユニットのスイッチ切り換えにより走査信号を発生して出力する。
【実施例１】
【００１２】
本発明の好ましい実施例は、低温ポリシリコン（ＬＴＰＳ）ディスプレイ装置中に組み付けられたスキャンドライバを例としている。図１は本発明のスキャンドライバの機能ブロック図であり、それは、ラッチユニット１、電圧レベルシフト回路２及びバッファ３を具えている。そのうち、ラッチユニット１の入力端は設定ピン（Ｓｅｔ）１１とリセットピン（Ｒｅｓｅｔ）１２を具え、その出力部分は第１制御信号ピン１３と第２制御信号ピン１４を具え、電圧レベルシフト回路２の入力部分は第１入力ピン２１、第１クロック信号ピン２２、第２クロック信号ピン２３及び第２入力ピン２４を具えている。
【００１３】
ラッチユニット１の設定ピン１１は設定信号を受け取り、リセットピン１２はリセット信号を受け取り、設定信号とリセット信号により第１制御信号ピン１３の出力と第２制御信号ピン１４の出力を決定し、且つ第１制御信号ピン１３の出力と第２制御信号ピン１４の出力は相互に逆相とされ、本実施例では、ラッチユニット１はＳＲラッチとされる。
【００１４】
電圧レベルシフト回路２の第１入力ピン２１はラッチユニット１の第１制御信号ピン１３に接続され、電圧レベルシフト回路２の第２入力ピン２４はラッチユニット１の第２制御信号ピン１４に接続される。電圧レベルシフト回路２の第１クロック信号ピン２２及び第２クロック信号ピン２３はそれぞれ相互にほぼ逆相の第１クロック信号ｃｌｋ１及び第２クロック信号ｃｌｋ１ｂを受け取り、電圧レベルシフト回路２が第１制御信号ピン１３の出力、第２制御信号ピン１４の出力、第１クロック信号及び第２クロック信号に基づき高電圧レベルの走査出力信号を出力するのに供する。
【００１５】
電圧レベルシフト回路２の出力端２５はバッファ３に接続され、バッファ３により走査出力信号の駆動能力を増加する。電圧レベルシフト回路２がどのように高電圧レベルの走査出力信号を出力するかについて以下の説明する。
【００１６】
図２は電圧レベルシフト回路２の内部回路表示図である。それは、第１スイッチユニット２６１、第２スイッチユニット２６２、第３スイッチユニット２６３、第４スイッチユニット２６４、第５スイッチユニット２６５を具えている。該第１スイッチユニット２６１は二つのＮ型ＴＦＴ２６１１、２６１２を具え、第２スイッチユニット２６２は二つのＰ型ＴＦＴ２６２１、２６２２を具え、第３スイッチユニット２６３は一つのＰ型ＴＦＴ２６３１とＮ型ＴＦＴ２６３２を具え、第４スイッチユニット２６４は二つのＰ型ＴＦＴ２６４１、２６４２を具え、第５スイッチユニット２６５は二つのＮ型ＴＦＴ２６５１、２６５２を具えている。
【００１７】
第１スイッチユニット２６１において、Ｎ型ＴＦＴ２６１１のソースは第１クロック信号ピン２２に接続されて第１クロック信号を受け取り、Ｎ型ＴＦＴ２６１２のソースは第２クロック信号ピン２３に接続されて、第２クロック信号を受け取り、且つＮ型ＴＦＴ２６１１、２６１２のゲートはいずれも第１入力ピン２１に接続されてラッチユニット１の第１制御信号ピン１３の出力を受け取る。
【００１８】
第２スイッチユニット２６２中、Ｐ型ＴＦＴ２６２１のドレインはＮ型ＴＦＴ２６１１のドレインに接続され、Ｐ型ＴＦＴ２６２２のドレインはＮ型ＴＦＴ２６１２のドレインに接続され、Ｐ型ＴＦＴ２６２１、２６２２のソースはいずれも作業電圧（Ｖｄｄ）に接続され、Ｐ型ＴＦＴ２６２１のゲートはＮ型ＴＦＴ２６１２のドレインに接続され、Ｐ型ＴＦＴ２６２２のゲートはＮ型ＴＦＴ２６１１のドレインに接続されている。
【００１９】
第３スイッチユニット２６３中、Ｐ型ＴＦＴ２６３１のドレインはＮ型ＴＦＴ２６１２のドレインに接続され、Ｎ型ＴＦＴ２６３２のソースは低電位に接続され、Ｐ型ＴＦＴ２６３１のソースは作業電圧に接続され、Ｎ型ＴＦＴ２６３２のドレインはＰ型ＴＦＴ２６２１のドレインに接続され、Ｐ型ＴＦＴ２６３１のゲートは第１入力ピン２１に接続されて、ラッチユニット１の第１制御信号に接続され、Ｎ型ＴＦＴ２６３２のソースは第２入力ピン２４に接続されて、ラッチユニット１の第２制御信号ピン１４の出力を受け取る。
【００２０】
第１クロック信号は低電位とされ、第２クロック信号は高電位とされ、これによりＰ型ＴＦＴ２６２２がオンとされ、Ｐ型ＴＦＴ２６２１がオフとされ、並びにＰ型ＴＦＴ２６４１がオフとされ、Ｐ型ＴＦＴ２６４２がオンとされ、Ｎ型ＴＦＴ２６５１がオンとされ、Ｎ型ＴＦＴ２６５２がオフとされ、高電圧レベルの走査出力信号（作業電圧に接近）を出力する。Ｔ２時間点のとき、第１クロック信号は高電位とされ且つ第２クロック信号は低電位とされ、これによりＰ型ＴＦＴ２６２２がオフとされ且つＰ型ＴＦＴ２６２１がオンとされ、これによりＰ型ＴＦＴ２６４１がオンとされ且つＰ型ＴＦＴ２６４２がオフとされ、これによりＮ型ＴＦＴ２６５２がオンとされ且つＮ型ＴＦＴ２６５１がオフとされ、これにより電圧レベルシフト回路２の出力端２５の電位が低電位に引き下げられる。
【００２１】
Ｔ３時間点にあって、ラッチユニット１のリセットピン１２がリセット信号を入力し、入力されるリセット信号が低電位とされるため、ラッチユニット１を経由した後、その第２制御信号ピン１４の出力は高電位とされ且つ第１制御信号ピン１３の出力は低電位とされ、これによりＮ型ＴＦＴ２６１１、２６１２のゲートは低電位となり、この二つのＮ型ＴＦＴ２６１１、２６１２がオフとされ、並びにＰ型ＴＦＴ２６３１とＮ型ＴＦＴ２６３２が導通し、ｏｐノードの電圧が高電位（Ｖｄｄ）に引き上げられ、且つｏｎノードの電圧が低電位（Ｖｓｓ）に引き下げられ、安定状態を維持する。
【００２２】
これにより、Ｐ型ＴＦＴ２６４２が導通し、Ｐ型ＴＦＴ２６４１がオフとなり、Ｎ型ＴＦＴ２６５１が導通し、且つＮ型ＴＦＴ２６５２がオフとなり、走査波形の信号の出力を完成する。
【００２３】
以上の説明から分かるように、第１スイッチユニット２６１及び第４スイッチユニット２６４はスイッチ切り換えの動作を行ない、且つ第１スイッチユニット２６１及び第２スイッチユニット２６２は第１クロック信号ピン２２の第１クロック信号と第２クロック信号ピン２３の第２クロック信号を作業電圧レベルまで引き上げる。例えば（０，３．３）→（０，Ｖｄｄ）。第３スイッチユニット２６３は安定状態処理を提供する。第４スイッチユニット２６４はスイッチ作用を提供して第５スイッチユニット２６５を第４スイッチユニット２６４の動作により低電圧レベルに引き下げられて走査信号を出力させ、こうして低電圧レベルのクロック信号を入力するだけでこれらスイッチユニットの制御を達成し、高い電圧レベルの走査信号を出力する。本実施例では第１クロック信号及び第２クロック信号の電圧信号範囲は０〜３．３Ｖとされ、走査信号の電圧レベルは作業電圧のレベルに等しく、即ち１０Ｖとされ、低レベル電圧は−１０Ｖである。
【００２４】
フラットディスプレイ装置にあっては、通常複数のスキャンドライバが設置されてパネル中のＴＦＴをオンとする。図４には複数のスキャンドライバ４１、４２、４３、４４が示されている。第１スキャンドライバ４１の出力端４１２は次のスキャンドライバ４２の設定ピン４２２に接続され、後続のスキャンドライバ４２の出力端４２１は前のスキャンドライバ４１のリセットピン１２に接続され、各スキャンドライバ４１は第１クロック信号と第２クロック信号に接続され、第１スキャンドライバ４１の設定ピン４２２及び最後のスキャンドライバ４４のリセットピン４４１はいずれもトリガ回路４９の出力端に接続され、且つこれらスキャンドライバ４１、４２、４３、４４はいずれも第１クロック信号ピン２２と第２クロック信号ピン２３により第１クロック信号と第２クロック信号を受け取り、設定信号或いはリセット信号を発生し、これらスキャンドライバ４１、４２、４３、４４が図５に示される走査波形を形成する。
【００２５】
図６は上述のトリガ回路４９の内部回路表示図である。それは、四つのＰ型ＴＦＴ６１、６２、６５、６６、四つのＮ型ＴＦＴ６３、６４、６７、６８及びインバータ６９を具えている。Ｎ型ＴＦＴ６３、６４は第３クロック信号及び第４クロック信号に接続され、且つ第３クロック信号と第４クロック信号の位相は逆であり、Ｐ型ＴＦＴ６１、６２、６５、６６は作業電圧（Ｖｄｄ）に接続され、第３クロック信号と第４クロック信号により設定信号或いはリセット信号を発生するのに供される。
【図面の簡単な説明】
【００２６】
【図１】本発明の好ましい実施例のスキャンドライバの機能ブロック図である。
【図２】本発明の好ましい実施例の電圧レベルシフト回路の回路表示図である。
【図３】本発明の好ましい実施例の電圧レベルシフト回路の動作タイミング図である。
【図４】本発明の好ましい実施例のマルチステージスキャンドライバの接続表示図である。
【図５】本発明の好ましい実施例のマルチステージスキャンドライバの出力走査波形表示図である。
【図６】本発明の好ましい実施例のトリガ回路の内部回路表示図である。
【符号の説明】
【００２７】
１  ラッチユニット                １１、４２２  設定ピン
１２、４４１  リセットピン        １３  第１制御信号ピン
１４  第２制御信号ピン            ２  電圧レベルシフト回路
２１  第１入力ピン                ２２  第１クロック信号ピン
２３  第２クロック信号ピン        ２４  第２入力ピン
２５  電圧レベルシフト回路        ２６１  第１スイッチユニット
２６２  第２スイッチユニット      ２６３  第３スイッチユニット
２６４  第４スイッチユニット      ２６５  第５スイッチユニット
２６１１、２６１２、２６３２、２６５１、２６５２、６３、６４、６７、６８  Ｎ型ＴＦＴ
２６２１、２６２２、２６３１、２６４１、２６４２、６１、６２、６５、６６  Ｐ型ＴＦＴ
３  バッファ                      ４１、４２、４３、４４  スキャンドライバ
４１２、４２１  出力端            ４９  トリガ回路
６９  インバータ
【図１】
2005070732.tif 000003
【図２】
2005070732.tif 000004
【図３】
2005070732.tif 000005
【図４】
2005070732.tif 000006
【図５】
2005070732.tif 000007
【図６】
2005070732.tif 000008